(57)【要約】Ｘ線管調整装置７の格納部７２には、初期画像（最適焦点径に調整されたときに撮像されたスリット板５の画像）が格納されている。取得部７４が、テスト画像（焦点径の調整時に撮像されるスリット板５の画像）を取得する。提示部７６が、初期画像及び初期画像における輝度を表す画像（初期画像におけるスリット部７６４ａと残余領域部７６６ａとのコントラストΔａが示される。）と、テスト画像及びテスト画像における輝度を表す画像（テスト画像におけるスリット部７６４ｂと残余領域部７６６ｂとのコントラストΔｂが示される。）とを、同時に（比較可能な態様で）、提示する。
2003086027.tif 000002
【特許請求の範囲】
【請求項１】
Ｘ線管を遠隔調整するＸ線管調整装置であって、
前記Ｘ線管と撮像装置とを備えたＸ線検査装置により前記Ｘ線管のターゲットにおける電子ビームの焦点径が所定の値になるように調整された状態において撮像された一定のパターンが刻まれた被撮像体の初期画像を、予め格納する格納手段と、
前記Ｘ線検査装置により焦点径の調整時に撮像される前記被撮像体のテスト画像を、通信回線を介して取得する取得手段と、
前記格納手段に格納された前記初期画像と、前記取得手段により取得された前記テスト画像とを比較可能な態様で提示する提示手段と
を備えたことを特徴とするＸ線管調整装置。
【請求項２】
前記Ｘ線管における電子ビームのビーム径を調整する集束レンズを、通信回線を介して操作する操作手段を備えたことを特徴とする請求項１記載のＸ線管調整装置。
【請求項３】
Ｘ線管を遠隔調整するＸ線管調整システムであって、
前記Ｘ線管と撮像装置とを備えたＸ線検査装置と、
前記Ｘ線検査装置により前記Ｘ線管のターゲットにおける電子ビームの焦点径が所定の値になるように調整された状態において撮像された一定のパターンが刻まれた被撮像体の初期画像を、予め格納する格納手段と、
前記Ｘ線検査装置により焦点径の調整時に撮像される前記被撮像体のテスト画像を、通信回線を介して取得する取得手段と、
前記格納手段に格納された前記初期画像と、前記取得手段により取得された前記テスト画像とを比較可能な態様で提示する提示手段と
を備えたＸ線管調整装置と
を有し、
前記Ｘ線検査装置と、前記Ｘ線管調整装置とが、通信回線を介して接続されたことを特徴とするＸ線管調整システム。
【請求項４】
Ｘ線管を遠隔調整するＸ線管調整方法であって、
前記Ｘ線管と撮像装置とを備えたＸ線検査装置により前記Ｘ線管のターゲットにおける電子ビームの焦点径が所定の値になるように調整された状態において撮像された一定のパターンが刻まれた被撮像体の初期画像を、予め格納手段に格納しておき、
取得手段が、前記Ｘ線検査装置により焦点径の調整時に撮像される前記被撮像体のテスト画像を、通信回線を介して取得する取得ステップと、
提示手段が、前記格納手段に格納された前記初期画像と、前記取得手段により取得された前記テスト画像とを比較可能な態様で提示する提示ステップと
を含む
ことを特徴とするＸ線管調整方法。
【請求項５】
操作手段が、前記Ｘ線管における電子ビームのビーム径を調整する集束レンズを、通信回線を介して操作する操作ステップを含むことを特徴とする請求項４記載のＸ線管調整方法。
【請求項６】
Ｘ線管と撮像装置とを備えたＸ線検査装置により前記Ｘ線管のターゲットにおける電子ビームの焦点径が所望の状態になるように調整された状態において撮像された一定のパターンが刻まれた被撮像体の初期画像を、前記Ｘ線管の識別情報と紐付けて格納手段に格納しておき、
前記Ｘ線管の部品を交換した際に前記Ｘ線検査装置により前記被撮像体のテスト画像を撮像する撮像ステップと、
前記Ｘ線管の識別情報と紐付けられた初期画像を前記格納手段から取り出して、前記テスト画像と比較可能な態様で提示する提示ステップとを含む
ことを特徴とするＸ線管調整方法。
【請求項７】
前記Ｘ線管における電子ビームのビーム軸の位置を調整するアライメント調整ステップと、
前記アライメント調整ステップに続いて、かつ前記撮像ステップに先立ち、前記被撮像体を前記初期画像を撮像したときと同じ位置に設置する設置ステップと、前記提示ステップで提示された画像を参照しつつ、前記Ｘ線管のターゲットにおける電子ビームの焦点径が前記所望の状態になるように前記Ｘ線管の集束レンズを調整するフォーカス調整ステップとを更に含む
ことを特徴とする請求項６に記載のＸ線管調整方法。
【発明の詳細な説明】
技術分野
本発明は、Ｘ線管調整装置、Ｘ線管調整システム及びＸ線管調整方法に関するものである。
背景技術
Ｘ線検査装置を用いて非破壊検査をする際、Ｘ線発生源であるＸ線管において電子ビームがターゲットに衝突するときの焦点が適切なレベルに絞られていないと、撮像面に半影ができ、画像がぼやけてしまう。Ｘ線管（開放管）において当初は焦点が適切なレベルに絞られるように集束レンズが調整されていても、フィラメント又はターゲットが交換された際にフィラメント又はターゲットの位置がずれることによって焦点が広がることがある。また、Ｘ線管のターゲットに印加される管電圧を変更した場合にも、焦点が最適焦点よりも広くなることがある。このような場合の対処として、従来は、保守員がＸ線検査装置のモニターに現れる画像が絶対的に鮮明になるように集束レンズを調整していた。
発明の開示
しかしながら、従来のＸ線管の調整方法（集束レンズの調整方法）には、集束レンズを最適に調整するのが困難であるという問題点があった。
本発明は、上記問題を解決するためになされたものであり、集束レンズを最適に調整するのを容易にするＸ線管調整装置、Ｘ線管調整システム及びＸ線管調整方法を提供することを目的とする。
上記目的を達成するために、本発明のＸ線管調整装置は、Ｘ線管を遠隔調整するＸ線管調整装置であって、Ｘ線管と撮像装置とを備えたＸ線検査装置によりＸ線管のターゲットにおける電子ビームの焦点径が所定の値になるように調整された状態において撮像された一定のパターンが刻まれた被撮像体の初期画像を、予め格納する格納手段と、Ｘ線検査装置により焦点径の調整時に撮像される被撮像体のテスト画像を、通信回線を介して取得する取得手段と、格納手段に格納された初期画像と、取得手段により取得されたテスト画像とを比較可能な態様で提示する提示手段とを備えたことを特徴とする。
本発明のＸ線管調整装置においては、格納手段に格納された初期画像（Ｘ線管のターゲットにおける電子ビームの焦点径が所定の値になるように調整された状態において撮像された被撮像体の画像）と、取得手段により通信回線を介して取得されたテスト画像（焦点径の調整時に撮像される被撮像体の画像）とが、提示手段により比較可能な態様で提示される。そのため、提示手段により提示される両者の画像におけるパターン部分とその周辺部とのコントラストの違いから、焦点径の調整時（テスト画像が撮像されたとき）の焦点が、上記の調整された状態における焦点と比して、どの程度広がっているのかを知ることができ、さらには焦点径を上記の所定の値にするための集束レンズの調整値を知ることができる。その結果、集束レンズを最適に調整するのが容易になる。
本発明のＸ線管調整装置は、Ｘ線管における電子ビームのビーム径を調整する集束レンズを、通信回線を介して操作する操作手段を備えたことが好適である。
通信回線を介して集束レンズを操作する操作手段を備えるので、保守員がＸ線管の設置場所に赴かなくても、遠隔操作により集束レンズを操作することが可能になる。
上記目的を達成するために、本発明のＸ線管調整システムは、Ｘ線管を遠隔調整するＸ線管調整システムであって、Ｘ線管と撮像装置とを備えたＸ線検査装置と、Ｘ線検査装置によりＸ線管のターゲットにおける電子ビームの焦点径が所定の値になるように調整された状態において撮像された一定のパターンが刻まれた被撮像体の初期画像を、予め格納する格納手段と、Ｘ線検査装置により焦点径の調整時に撮像される被撮像体のテスト画像を、通信回線を介して取得する取得手段と、格納手段に格納された初期画像と、取得手段により取得されたテスト画像とを比較可能な態様で提示する提示手段とを備えたＸ線管調整装置とを有し、Ｘ線検査装置と、Ｘ線管調整装置とが、通信回線を介して接続されたことを特徴とする。
本発明のＸ線管調整システムにおいては、格納手段に格納された初期画像（Ｘ線管のターゲットにおける電子ビームの焦点径が所定の値になるように調整された状態において撮像された被撮像体の画像）と、取得手段により通信回線を介して取得されたテスト画像（焦点径の調整時に撮像される被撮像体の画像）とが、提示手段により比較可能な態様で提示される。そのため、提示手段により提示される両者の画像におけるパターン部分とその周辺部とのコントラストの違いから、焦点径の調整時（テスト画像が撮像されたとき）の焦点が、上記の調整された状態における焦点と比して、どの程度広がっているのかを知ることができ、さらには焦点径を上記の所定の値にするための集束レンズの調整値を知ることができる。その結果、集束レンズを最適に調整するのが容易になる。
上記目的を達成するために、本発明のＸ線管調整方法は、Ｘ線管を遠隔調整するＸ線管調整方法であって、Ｘ線管と撮像装置とを備えたＸ線検査装置によりＸ線管のターゲットにおける電子ビームの焦点径が所定の値になるように調整された状態において撮像された一定のパターンが刻まれた被撮像体の初期画像を、予め格納手段に格納しておき、取得手段が、Ｘ線検査装置により焦点径の調整時に撮像される被撮像体のテスト画像を、通信回線を介して取得する取得ステップと、提示手段が、格納手段に格納された初期画像と、取得手段により取得されたテスト画像とを比較可能な態様で提示する提示ステップとを含むことを特徴とする。
また、本発明のＸ線管調整方法の別の側面は、Ｘ線管と撮像装置とを備えたＸ線検査装置によりＸ線管のターゲットにおける電子ビームの焦点径が所望の状態になるように調整された状態において撮像された一定のパターンが刻まれた被撮像体の初期画像を、Ｘ線管の識別情報と紐付けて格納手段に格納しておき、Ｘ線管の部品を交換した際にＸ線検査装置により被撮像体のテスト画像を撮像する撮像ステップと、Ｘ線管の識別情報と紐付けられた初期画像を格納手段から取り出して、テスト画像と比較可能な態様で提示する提示ステップとを含むことを特徴とする。
本発明のＸ線管調整方法においては、格納手段に格納された初期画像（Ｘ線管のターゲットにおける電子ビームの焦点径が所定の値になるように調整された状態において撮像された被撮像体の画像）と、テスト画像（焦点径の調整時に撮像される被撮像体の画像）とが、提示ステップにおいて比較可能な態様で提示される。そのため、提示ステップで提示される両者の画像におけるパターン部分とその周辺部とのコントラストの違いから、焦点径の調整時（テスト画像が撮像されたとき）の焦点が、上記の調整された状態における焦点と比して、どの程度広がっているのかを知ることができ、さらには焦点径を上記の所定の値にするための集束レンズの調整値を知ることができる。その結果、集束レンズを最適に調整するのが容易になる。
本発明のＸ線管調整方法は、操作手段が、Ｘ線管における電子ビームのビーム径を調整する集束レンズを、通信回線を介して操作する操作ステップを含むことが好適である。
通信回線を介して集束レンズを操作する操作ステップを含むので、保守員がＸ線管の設置場所に赴かなくても、遠隔操作により集束レンズを操作することが可能になる。
発明を実施するための最良の形態
以下、添付図面を参照して、本発明のＸ線管調整装置、Ｘ線管調整システム及びＸ線管調整方法の好適な実施形態について詳細に説明する。
（第１実施形態）
まず、本実施形態のＸ線管調整システムにより調整されるＸ線管１の構造及び動作を説明する。図１は、Ｘ線管１の構造を示す模式図（断面図）である。図１に示すように、Ｘ線管１は、金属製外囲器１１、ステム１２及びベリリウム窓１３で構成される外郭により密閉される。Ｘ線管１は真空ポンプ１４を備え、Ｘ線管１を作動させるに先立って真空ポンプ１４により外郭内部の気体が排気される。
Ｘ線管１は、外郭の内部に、通電されることにより熱電子を放出するフィラメント１１０、熱電子をフィラメント側に押し戻す第１グリッド電極１２０、熱電子をターゲット側に引っ張る第２グリッド電極１３０、電子ビームのビーム軸の位置を調整するアライメントコイル部１４０、電子ビームのビーム径を調整するフォーカスコイル部（集束レンズ）１４５及び熱電子が衝突することによりＸ線を発生させるタングステン製のターゲット１５０を備える。フィラメント１１０からターゲット１５０に向かって、第１グリッド電極１２０、第２グリッド電極１３０、アライメントコイル部１４０、フォーカスコイル部１４５の順に配置にされ、第１グリッド電極１２０及び第２グリッド電極１３０は、それぞれ、中心に熱電子を通過させるための開口部１２０ａ及び開口部１３０ａを備える。
Ｘ線管１は、ターゲット１５０に正の高電圧を印加するための高電圧発生回路を含む、電源１５を備える。
Ｘ線管１は、Ｘ線管１とコントロールケーブル１６で接続されたＸ線管コントローラ２により制御される。
フィラメント１１０は、所定の電圧が印加され、通電することにより熱電子を放出する。第１グリッド電極１２０に印加される電圧がカットオフ電圧から動作電圧に上がると、フィラメント１１０から放出された熱電子は、フィラメント１１０よりも高電位の第２グリッド電極１３０に引っ張られることにより、第１グリッド電極１２０の開口部１２０ａを通過する。さらに、熱電子は、ターゲット１５０に印加された管電圧により加速されながら第２グリッド電極１３０の開口部１３０ａを通過し、正の高電圧が印加されたターゲット１５０へ向かう電子ビームとなる。
電子ビームは、アライメントコイル部１４０により電子ビームの進行方向に垂直な方向に形成される磁界を通過する際、電磁偏向によりＸ線管１の中心を通るようにビーム軸の位置が調整される。さらに、電子ビームは、フォーカスコイル部１４５によってビーム径が収縮される。フォーカスコイル部１４５により集束された電子ビームがターゲット１５０に当たると、ターゲット１５０はＸ線を発生させる。Ｘ線は、ベリリウム窓１３を通過して、Ｘ線管１の外部に出射する。ターゲット１５０が発生させるＸ線の強さは、管電圧の高さ及び管電流の大きさにより決定される。また、電子ビームがターゲット１５０に当たるときの焦点径は、フォーカスコイル部１４５の磁界強度（すなわち、フォーカスコイル部１４５に流れる電流の大きさ）と、管電圧の高さとにより変化する。
次に、本実施形態のＸ線管調整システムの機能的構成を説明する。図２は、第１実施形態のＸ線管調整システムを説明する図である。図２に示すように本実施形態のＸ線管調整システムは、Ｘ線管１、Ｘ線管コントローラ２及び撮像装置３により構成されるＸ線検査装置４並びにＸ線管調整装置７を備える。Ｘ線検査装置４はユーザの元に、Ｘ線管調整装置７はＸ線管の保守管理業者の元に設置され、両者はインターネットなどの通信回線を介して接続されている。
撮像装置３は、撮像面３２を備え、Ｘ線管１の発するＸ線が照射されることにより撮像面３２上に現れる被撮像体の映像を撮像する。撮像装置３は、ケーブル３６によりＸ線管コントローラ２と接続される。
Ｘ線管コントローラ２は、コントロール部２２及び通信部２４を備える。コントロール部２２は、主電源スイッチ、Ｘ線照射スイッチ、管電圧調整部、管電流調整部等を備え、Ｘ線管１におけるフィラメントの通電、第１グリッド電極に印加される電圧（カットオフ電圧、動作電圧）の切り替え、管電圧及び管電流の調整等を制御する機能を有する。通信部２４は、撮像装置３により撮像された被撮像体の画像をＸ線管調整装置７の取得部７４に送信し、Ｘ線管調整装置７の操作部７８からの制御命令を受信してコントロール部２２に伝達する機能を有する。
本実施形態では、被撮像体としてスリット板５がＸ線検査装置４にセットされる。図３は、スリット板５の側面及び正面を示す図である。スリット板５は、Ｘ線を透過させにくい材質により構成され、中央部に３本のスリット（パターン）５４が刻まれおり、スリット５４の間には残余領域５６が形成されている。
Ｘ線管調整装置７は、格納部７２、取得部７４、提示部７６及び操作部７８を備える。格納部７２には、出荷時の状態のＸ線管１（出荷時には、焦点径が初期管電圧の下で最適な値になるようにフォーカスコイル部１４５の電流値が設定されている。）をＸ線発生源とするＸ線検査装置４により撮像されたスリット板５の画像（初期画像）が格納されている。取得部７４は、Ｘ線管コントローラ２の通信部２４により送信される被撮像体の映像、Ｘ線管１の管電流値等の情報を取得する機能を有する。提示部７６は、初期画像及び初期画像における輝度を表す画像並びにテスト画像及びテスト画像における輝度を表す画像（詳細は後述する。）を同時に（比較可能な態様で）提示する機能を有する。操作部７８は、通信回線を介して、Ｘ線管１のアライメントコイル部１４０及びフォーカスコイル部１４５の電流値を調整する機能を有する。
図５は、Ｘ線管１のフィラメントを交換してから焦点径を最小化させるまでの処理手順を示すフローチャートである。図５を参照して、Ｘ線管１のフィラメントを交換してから焦点径を最小化させるまでの処理手順を説明する。まず、ユーザがカソードを交換する（Ｓ５０１）。ユーザは、カソードの交換後最初にＸ線管１を使用するときに、真空ポンプ１４でＸ線管１を排気し（Ｓ５０３）、Ｘ線管１をウォーミングアップする（Ｓ５０５）。
Ｘ線管１のフィラメント１１０又はターゲット１５０を交換すると、交換されたフィラメント１１０又はターゲット１５０の位置がずれることにより、電子ビームのビーム軸がずれ、その結果管電流が小さくなることがある。Ｘ線管調整装置７は、Ｘ線管１の管電流を最大化させるようにアライメントコイル部１４０の電流値を増減させて電子ビームのビーム軸の位置を自動調整する。保守員は、撮像装置３が検出するＸ線の強度から電子ビームのビーム軸の位置合わせが適切になされたことを確認する（Ｓ５０７）。
また、交換されたフィラメント１１０又はターゲット１５０の位置がずれることにより、電子ビームの焦点が広がることがあるが、次の処理により焦点径が最小化される。Ｘ線検査装置４のユーザが、上記の初期画像を撮像したときと同じ位置にスリット板５をセットした上、これを撮像する（Ｓ５０９）。ここで得られたスリット板５の画像（テスト画像）は、Ｘ線管コントローラ２の通信部２４によりＸ線管調整装置７の取得部７４へ送信される。
Ｘ線管調整装置７の取得部７４がテスト画像を取得すると、提示部７６が格納部７２に格納されている初期画像及び初期画像における輝度を表す画像と、テスト画像及びテスト画像における輝度を表す画像とを同時に（比較可能な態様で）提示する（Ｓ５１１）。図４Ａは、提示部７６により提示される初期画像及び初期画像における輝度を表す画像を示す。図４Ｂは、テスト画像及びテスト画像における輝度を表す画像を示す。図４Ａにおいて、ａ１部は初期画像（スリット部分の長さ方法に対して垂直な方向をｘ方向とし、スリット部分の長さ方向をｙ方向とする。）を示し、ａ２部は初期画像の中心を通りｘ方向に平行な線（４ａ線）における輝度を表す。初期画像には、中央部に、スリット５４に相当するスリット部７６４ａ及び残余領域５６に相当する残余領域部（周辺部）７６６ａが現れる。ａ２部では、中央部に、スリット部７６４ａに対応する輝度の高い箇所と残余領域部７６６ａに相当する輝度の低い部分が現れる。
図４Ｂにおいて、ｂ１部はテスト画像を示し、ｂ２部はテスト画像の中心を通りｘ方向に平行な線（４ｂ線）における輝度を表す。ｂ１部及びｂ２部に現れる画像は、ａ１部及びａ２部に現れる画像と同様のものであるが、スリット部と残余領域部とのコントラストはａ１部及びａ２部に現れたものよりも小さくなる。すなわち、ｂ２部におけるスリット部７６４ｂに対応する最も高い輝度と、残余領域部７６６ｂに対応する低い輝度との差Δｂは、ａ２部におけるスリット部７６４ａに対応する最も高い輝度と、残余領域部７６６ａに対応する低い輝度との差Δａと比べて、小さくなる。初期画像が撮像される際にはＸ線管１における電子ビームの焦点が最適なレベルに絞られているので、スリット部７６４ａ（明部）と残余領域部７６６ａ（暗部）との輪郭が明確になる。これに対し、テスト画像が撮像される際にはＸ線管１における電子ビームの焦点が広がっているので、明部の周りに半影が生じる。そのため、スリット部７６４ｂ（明部）と残余領域部７６６ｂ（暗部）との輪郭が不明確になり、スリット部７６４ｂにおける輝度は相対的に低くなり、残余領域部７６６ｂにおける輝度は相対的に高くなる。
Ｘ線管調整装置７では、提示部７６により、上記に述べた初期画像及び初期画像における輝度を表す画像と、テスト画像及びテスト画像における輝度を表す画像とが同時に（比較可能な態様で）提示されるので、初期画像におけるスリット部７６４ａと残余領域部７６６ａとのコントラストと、テスト画像におけるスリット部７６４ｂと残余領域部７６６ｂとのコントラストとを比較することができ、両者のコントラストの違いから、焦点径の調整時（テスト画像が撮像されたとき）の焦点が、Ｘ線管１の出荷時（焦点径が初期管電圧の下で最適な値になるようにフォーカスコイル部１４５の電流値が設定されているとき）の焦点と比して、どの程度広がっているのかを知ることができる。さらには、コントラストの比較、すなわちΔａとΔｂとの差から焦点径を最適な値にするためのフォーカスコイル部１４５の電流値を算出することができ、自動フォーカス調整も可能になる。
操作部７８により、フォーカスコイル部１４５の電流値が、上記により得られた焦点径を最適な値にするための電流値になるように、調整される（Ｓ５１３）。
Ｘ線管１の管電圧が変更されたときにもターゲット１５０における電子ビームの焦点が広がることがある。この場合も、初期画像におけるスリット部７６４ａと残余領域部７６６ａとのコントラストと、テスト画像におけるスリット部７６４ｂと残余領域部７６６ｂとのコントラストとを比較することにより、最適焦点径に調整するためのフォーカスコイル部１４５の電流値を知ることができる。ただし、管電圧が変更されることにより照射されるＸ線の強度が変化するので、これがテスト画像におけるスリット部７６４ｂと残余領域部７６６ｂとのコントラストに与える影響を考慮する必要がある。
次に、本実施形態のＸ線管調整システムの効果を説明する。上記のとおり、Ｘ線管調整装置７の提示部７６が初期画像におけるスリット部７６４ａと残余領域部７６６ａとのコントラストと、テスト画像におけるスリット部７６４ｂと残余領域部７６６ｂとのコントラストとを比較可能な態様で提示するので、保守員は、ユーザの元に赴かなくとも、提示部７６により提示される情報から、焦点が最適なレベルに絞られた焦点よりどの程度広がっているのか容易に知ることができ、さらには最適焦点径を実現するために調整すべきフォーカスコイル部１４５の電流値を知ることができる。また、保守員は、ユーザの元に赴かなくとも、Ｘ線管調整装置７の操作部７８を利用して遠隔操作でフォーカスコイル部１４５の電流値を調整することができる。その結果、少ない労力でフォーカスコイル部１４５を調整することができる。
（第２実施形態）
図６は、第２実施形態のＸ線管調整システムを説明する図である。第２実施形態では、保守員がＸ線管１の設置場所に赴いてフィラメントの交換からフォーカス調整までの処理を行う。保守管理業者がユーザからフィラメント交換の依頼を受けると、保守員がノートパソコン８を携帯してＸ線管１の設置場所に赴く。保守員は、上記Ｓ５０１〜Ｓ５０７と同様の処理を行った後、ノートパソコン８をＸ線管調整装置７に接続し、Ｘ線管１の識別情報を送信する。Ｘ線管調整装置７は、Ｘ線管１の識別情報と紐付けて格納されている初期画像を格納部７２から取り出してノートパソコン８へダウンロードする。続いて、保守員は、ノートパソコン８をＸ線管コントローラ２に接続する。保守員は、ノートパソコン８の画面に初期画像及びテスト画像並びに両者の輝度情報を提示させて上記Ｓ５０１〜Ｓ５０７と同様の処理を行う。
産業上の利用可能性
本発明のＸ線管調整装置、Ｘ線管調整システム及びＸ線管調整方法は、例えば医療用Ｘ線発生装置の調整に適用可能である。
【図面の簡単な説明】
図１は、Ｘ線管１の構造を示す模式図（断面図）である。
図２は、第１実施形態のＸ線管調整システムを説明する図である。
図３は、スリット板５の側面及び正面を示す図である。
図４Ａは、提示部７６により提示される初期画像及び初期画像における輝度を表す画像を示す。
図４Ｂは、提示部７６により提示されるテスト画像及びテスト画像における輝度を表す画像を示す。
図５は、Ｘ線管１のフィラメントを交換してから焦点径を最小化させるまでの処理手順を示すフローチャートである。
図６は、第２実施形態のＸ線管調整システムを説明する図である。
【図１】
2003086027.tif 000003
【図２】
2003086027.tif 000004
【図３】
2003086027.tif 000005
【図４Ａ】
2003086027.tif 000006
【図４Ｂ】
2003086027.tif 000007
【図５】
2003086027.tif 000008
【図６】
2003086027.tif 000009
【国際調査報告】
2003086027.tif 000010
2003086027.tif 000011
2003086027.tif 000012
2003086027.tif 000013